(57)【要約】真空掃除機に用いるパックフィルターの吸引口を閉じる封止装置であって、真空掃除機からパックフィルターを取り外さすことなく、吸引口を封止できるようにする。吸引パイプを差し込むためにパックフィルター本体の一面に開けた吸引口と、真空掃除機の使用時までは開いた吸引口の一側に配置し、使用後に吸引口の一側から他側へ移動可能に設けた操作部材と、上記操作部材とパックフィルター本体との間に配置され、かつ、パックフィルター本体に接触する面に粘着材層を設けた封止片とを備えており、操作部材の移動に伴い、上記封止片がパックフィルター本体の一面に対して速度差なしで接着されるように構成する。
2012157127.tif 000002
【特許請求の範囲】
【請求項１】
真空掃除機に用いるパックフィルターの吸引口を閉じる封止装置であって、吸引パイプを差し込むためにパックフィルター本体の一面に開けた吸引口と、真空掃除機の使用時までは開いた吸引口の一側に配置し、使用後に吸引口の一側から他側へ移動可能に設けた操作部材と、上記操作部材とパックフィルター本体との間に配置され、かつ、パックフィルター本体に接触する面に粘着材層を設けた封止片とを備えており、操作部材の移動に伴い、上記封止片がパックフィルター本体の一面に対して速度差なしで接着されるように構成された真空掃除機に用いるパックフィルターの封止装置。
【請求項２】
パックフィルター本体の一面に開けた吸引口を覆って取り付けられ、吸引口に差し込んだ吸引パイプの外周に接触する弾力材から成る擦り片と、パックフィルター本体の吸引口を囲むようにパックフィルター本体の一面に設けたガイド部と、上記ガイド部に保持された状態で真空掃除機の使用時までは開いた吸引口の一側に位置し、使用後に上記ガイド部に沿って移動して、吸引口を閉塞可能に設けた操作部材と、上記操作部材とパックフィルター本体との間に一端部を固定し、中間部で操作部材の移動端を回って折り返し、他端部は操作部材の外面に配置するとともに、上記一面に接触する面に粘着材層を設けた封止片とを備えて構成された請求項１記載の真空掃除機に用いるパックフィルターの封止装置。
【請求項３】
少なくとも操作部材の外面に配置された封止片に取り付け、その部分の粘着材層を覆った剥離紙と、操作部材の移動端に封止片の曲げ半径を大きくし抵抗を減らすために設けた滑り部とを備えている請求項１記載の真空掃除機に用いるパックフィルターの封止装置。
【請求項４】
真空掃除機はパックフィルター本体を配置するタンクを有し、上記タンクはパックフィルター本体の吸引口を配置するための接続口部を有し、上記接続口部の内面には装置取り付け部を設け、パックフィルター本体の一面のガイド部がその外側辺部にて上記取り付け部に着脱可能に係合するように設けられている請求項２記載の真空掃除機に用いるパックフィルターの封止装置。
【発明の詳細な説明】
【技術分野】
【０００１】
本発明は、真空掃除機に用いるパックフィルターの封止装置に関するものである
【背景技術】
【０００２】
真空掃除機では、異物を吸引してパックフィルター等と通称されている袋状容器に捕集し、捕集した異物は掃除機本体から取り出したパックフィルターごと廃棄する、いわゆる使い捨て方式が現在の真空掃除機の主流になっている。しかし、パックフィルターを取り出すときに、その吸引口回りから微細な塵埃の漏れ出る恐れがあるため、紙パックフィルターを１次フィルターとして使用し、微細塵埃は２次フィルターによって濾過集塵する方法も取られている。１次フィルターの紙パックのみで微細塵埃を完全に捕集できる構造のものがなく、また、目詰まり現象を起こし易いことは、使用者から不満が多く出る問題になっているが、目詰まり現象は、様々な粒径の異物が吸引されることと、フィルター単位面積当りの吸引圧力が関係することであるので、パックフィルターの本質的な問題であるとも言える。
先行技術には特開平２−１１６３３８号（特許第２５８９３５５号）の発明があり、それは、「通気性を有する紙製の外袋と、この外袋の内側に配設されこの外袋より目の粗い紙製の中袋と、この中袋の内側に配設され合成樹脂製極細繊維を有するシート状体にて形成された通気性を有する内袋とを具備したことを特徴とする電気掃除機の集塵袋。」を開示している。同号の発明は重層構造の集塵袋において微細塵の捕集効率を向上させるために、紙の目を細かくすると、通気性が低下して吸い込み性能が低下することを問題点とし、外袋と内袋との間に目の粗い中袋を配置して、気流の通路を確保しようとするものである。しかし、単位面積当たりの圧力が高過ぎるのみならず、微細塵埃の捕集に圧力と流速が関与するという認識が見当たらない。このような発明では、微細塵埃を漏れなく捕集することには無理がある。
そこで、本発明者は微細塵埃の漏れをなくし、微細塵埃を漏れなく封じ込める（コンテインメント）という発想のもとに、集塵効率をより一層高めることを目的としたパックフィルターを開発した。同発明は表面積を大、中、小と異にする少なくとも３個の袋状のフィルター要素を備えており、上記フィルター要素を重ねて少なくとも３段階のフィルターを構成するとともに、表面積の最も大きいフィルター要素と中間のフィルター要素及び表面積の最も小さいフィルター要素の袋口を合わせて吸引口とし、上記パックフィルターを重ねた、少なくとも、表面積の最も小さいフィルター要素と中間のフィルター要素との間には内側空間、中間のフィルター要素と表面積の最も大きいフィルター要素との間には外側空間を形成したものである。
上記の発明によれば、吸引気流は少なくとも３個のフィルター要素を通過することによって段階的に流速が低速化されるとともに、少なくとも３段階の圧力降下を生じて、段階的に低圧化されて行くので、真空掃除機による集塵において微細塵埃の漏れをなくし、微細塵埃を漏れなく封じ込め、以って集塵効率をより一層高めることができるという効果を奏する。一方、このように高性能のパックフィルターが実現してみると、扱い方によってはパックフィルターが加圧されて逆流を生じ、折角捕集した微細塵埃を漏れ出させてしまうという新たな問題が発生した。パックフィルターを廃棄するには、真空掃除機から取り外さなければならず、その際にパックフィルターを掴むと多かれ少なかれ加圧することになり、そのため、吸引口からパック内部の空気が押し出されるとともに微細塵埃が漏れ出すことを避けられないのである。
【発明の開示】
【発明が解決しようとする課題】
【０００３】
本発明は前記の点に着目してなされたもので、その課題は、真空掃除機からパックフィルターを取り外さずに吸引口を封止できるようにすることである。また、本発明の他の課題は、パックフィルターに手を触れなくてもその吸引口を完全に密封することができる真空掃除機に用いるパックフィルターの封止装置を提供することである。
【課題を解決するための手段】
【０００４】
前記の課題を解決するため、本発明は、真空掃除機に用いるパックフィルターの吸引口を閉じる封止装置として、吸引パイプを差し込むためにパックフィルター本体の一面に開けた吸引口と、真空掃除機の使用時までは開いた吸引口の一側に配置し、使用後に吸引口の一側から他側へ移動可能に設けた操作部材と、上記操作部材とパックフィルター本体との間に配置され、かつ、パックフィルター本体に接触する面に粘着材層を設けた封止片とを備えており、操作部材の移動に伴い、上記封止片がパックフィルター本体の一面に対して速度差なしで接着されるように構成するという手段を講じたものである。
本発明に係る真空掃除機に用いるパックフィルターの封止装置は、前述の、微細塵埃の漏れをなくし、微細塵埃を漏れなく封じ込める（コンテインメント）という発想の下になされたもので、集塵性能をより一層高めることを目的としたパックフィルターと共に用いることが望ましい。そのパックフィルターの本体には、例えば、ＨＥＰＡフィルターなどと呼ばれる高性能エアフィルターに匹敵するか、その性能を超える集塵性能を有する素材を使用することが望ましい。前述の少なくとも３個のフィルター要素から成るパックフィルターも、パックフィルター本体に適用することができるが、しかし、それ以外のそれほど高性能ではないパックフィルターに適用し得ることは勿論である。
上記パックフィルターの封止装置は、吸引パイプを差し込む吸引口と、吸引口の一側から他側へ移動可能に設けた操作部材と、パックフィルター本体に接触する面に粘着材層を設けた封止片とを最小限要素として構成される。吸引口は微細塵埃をパックフィルター本体内に導入する手段であり、操作部材は吸引口を一側から他側へ移動操作するための手段であり、封止片は吸引口を閉じて微細塵埃を漏れなく封じ込める手段である。
ここで、特に重要な要素は、吸引口を一側から他側へ移動操作する操作部材と、操作部材によって吸引口を閉じる封止片であり、これらによって、封止片がパックフィルター本体の一面に対して速度差なしで接着されるようになる。例えば、被測定物の長さを図るために巻尺を延ばして行くとき、被測定物を押す必要はなく、また、被測定物との間に速度差は生じない。それと同様に、封止片はパックフィルター本体の一面に沿って移動することで、パックフィルター本体を加圧することなく、その一面に接着する。上記パックフィルター本体を加圧しなくて済むという構成により、逆流を生じさせるに至らないのである。
より望ましいパックフィルターの封止装置は、パックフィルター本体の一面に開けた吸引口を覆って取り付けられ、吸引口に差し込んだ吸引パイプの外周に接触する弾力材から成る擦り片と、パックフィルター本体の吸引口を囲むようにパックフィルター本体の一面に設けたガイド部と、上記ガイド部に保持された状態で真空掃除機の使用時までは開いた吸引口の一側に位置し、使用後に上記ガイド部に沿って移動して、吸引口を閉塞可能に設けた操作部材と、上記操作部材とパックフィルター本体との間に一端部を固定し、中間部で操作部材の移動端を回って折り返し、他端部は操作部材の外面に配置するとともに、上記一面に接触する面に粘着材層を設けた封止片とを備えて構成することができる。
上記したより望ましい構成において、擦り片は吸引パイプを吸引口から引き抜くときに吸引パイプの外周面に付着している微細塵埃などの汚れを擦り取り、掻き落とすように作用し、掻き落とした汚れはパックフィルター本体の内部に留められる。また、ガイド部は、操作部材がパックフィルター本体の一面に沿って移動するように、操作部材の移動をガイドする。操作部材は、板状の形態を取ることができ、板状であればガイド部に沿い移動させて吸引口を閉塞することができる。
封止片は、操作部材とパックフィルター本体との間に一端部を固定し、中間部で操作部材の移動端を回って折り返し、他端部は操作部材の外面に配置するとともに、上記一面に接触する面に粘着材層を設けた構成を取り得る。この場合、封止片はほぼＪ字型又はＵ字型の形態となり、操作部材は、その曲がり部を押し延ばすように作用することになる。この場合、さらに、少なくとも操作部材の外面に配置された封止片に取り付け、その部分の粘着材層を覆った剥離紙と、操作部材の移動端に封止片の曲げ半径を大きくし抵抗を減らすために設けた滑り部とを備えても良い。
真空掃除機はパックフィルター本体を配置するタンクを有している。上記タンクはパックフィルター本体の吸引口が配置されるパイプ接続口を有しており、パイプ接続口の内面に取り付け部を設けることで、パックフィルター本体の一面のガイド部がその外側辺部にて上記取り付け部に着脱可能に係合させることができる。つまり、ガイド部は、その外側辺部にパックフィルターに接着しない部分を設けることにより、その接着しない部分をパックフィルターをタンクへ装着する係合手段として使用することができる。
本発明は上記のように構成されかつ作用するものであるから、封止片をパックフィルター本体の一面に対して速度差なしで接着させることで、真空掃除機から取り外さなくてもパックフィルターを封止することができるという効果を奏する。また、本発明によれば、操作部材の移動に伴い、上記封止片がパックフィルター本体に接着されるので、パックフィルターに手を触れなくてもその吸引口を完全に密封することができる。よって、本発明は真空掃除機に用いるパックフィルターの封止装置として、捕集した微細塵埃を逃さずにパックフィルター内部に封止するので、パックフィルターを掴んだとしても封止後であるから塵埃は漏れ出さず、コンタミネーションを防止することができる。
【図面の簡単な説明】
【０００５】
図１は本発明に係るパックフィルターの封止装置を適用した真空掃除機の一例を示す側面説明図である。
図２は同上の装置を拡大して示す斜視図である。
図３は同上の装置を示すもので、Ａは使用前の状態を示す正面図、Ｂは同じく側面図である。
図４は同上の装置の作用を示すもので、Ａは使用前の状態を、Ｂは使用後の状態を示す断面図である。
図５は同じく使用後の状態を示すもので、Ａは正面図、Ｂは側面図である。
図６は同上の装置における二種の擦り片Ａ、Ｂを示すもので、ともに正面図である。
図７は同上の装置を掃除機本体に取り付けた状態を示す断面説明図である。
図８は同上の装置取り付け部の正面図である。
図９は同じく下面図である。
【発明を実施するための最良の形態】
【０００６】
以下図示の実施形態を参照して、本発明をより詳細に説明する。図１は本発明に係るパックフィルターの封止装置を適用した真空掃除機１０の一例を示しており、１１は掃除機本体、１２はその下部に配置した吸引胴部のタンクであり、掃除機本体１１に対して着脱可能に設けられている。タンク１２の側面には接続口部１３が設けてあり、接続口部１３には吸引パイプ又はその接続パイプ１４が着脱可能に取り付けてある（図７参照）。なお、１４ａはロックボルトであり、接続口部１３のメネジ部にてねじ込むことにより、先端部が吸引パイプ１４のロック溝１４ｂに入り込み抜け止めがなされる。上記接続パイプ１４には吸引ノズルなどを有するホースが接続される。
掃除機本体１１にはブロワ１５が設けられ、ブロワ１５はモーター１６によって駆動される。モーター１６は冷却ブロワ１７の駆動源を兼ねており、冷却気は吸引口１７ａから吸引される。載置部１８には、タンク１２を載置する箇所にタンク位置決め部１８ｄを設けており、図示の位置決め部１８ｄはシリコンゴム片をボルト止めしたもので、タンク外周面に接する前後左右に４箇所設置されている（図１参照）。台車枠１８の底枠１８ｃには、ブロワ上下用ハンドル１９がその一端部１９ａにて軸支されている。上記ハンドル１９にはその中間部１９ｂにて掃除機本体１１が軸支されており、ハンドル１９の上げ下げによって掃除機本体１１をタンク１２から上方へ離し、タンク内部を開放状態とし、或いは下方のタンク１２上に載置し、タンク１２を閉塞状態とするように構成されている。掃除機本体１１は２次フィルター１１−１、１１−２を付属しており、ハンドル１９の操作により、上げ位置で、ロック機構１９ｃ、１９ｄにより固定される。なお、掃除機本体１１は重心よりも上位にて中間部１９ｂの軸に軸支しており、常に水平に安定に吊り下げられた状態にある。
２０はパックフィルターの本体であり（図２参照）、本実施形態のパックフィルター本体２０は、準ＨＥＰＡフィルターを超える集塵性能（９９％、ａｔ０．３μｍ）を発揮するＪＩＳ  Ｂ  ９９２７に準拠した１次フィルターである。パックフィルター本体２０は表面積を大、中、小と異にする少なくとも３個の袋状のフィルター要素を備えており、上記フィルター要素を重ねて少なくとも３段階のフィルターを構成するとともに、表面積の最も大きいフィルター要素と中間のフィルター要素及び表面積の最も小さいフィルター要素の袋口を合わせて吸引口とし、上記パックフィルターを重ねた、少なくとも、表面積の最も小さいフィルター要素と中間のフィルター要素との間には内側空間、中間のフィルター要素と表面積の最も大きいフィルター要素との間には外側空間を形成したもので、それによって段階的に流速が低速化されるとともに、少なくとも３段階の圧力降下を生じて、段階的に低圧化されるように構成されている。このパックフィルター本体２０は、その一面に開けた吸引口２１を有している（図４等参照）。
パックフィルター本体２０には、真空掃除機の使用時までは開いている吸引口２１の一側に配置し、使用後に吸引口２１の一側から他側へ移動可能に設けた操作部材２２と、上記操作部材２３とパックフィルター本体２０との間に配置され、かつ、パックフィルター本体２０に接触する面に粘着材層２３を設けた封止片２４とを備えて構成された、封止装置２５を設けている。なお、これらの最小限要素から成る文言通りの構造を持つ封止装置２５については敢えて図示していないが、例えば、巻尺のように巻いた封止片２４を使用して吸引口２１の一側に配置し、巻かれている部分を、操作部材２２により、吸引口２１の一側（上）から他側（下）へ移動させるようにして容易に実施することができる。このように構成された封止装置２５では、操作部材２２の移動に伴い封止片２４がパックフィルター本体２０の一面に対して速度差なしで接着され、パックフィルター本体２０を加圧することもない。
図２以下は、封止装置２５のより望ましい一例を示している。この封止装置２５は、パックフィルター本体２０の一面に開けた吸引口２１を覆って取り付けられ、吸引口２１に差し込む吸引パイプ１４の外周に接触する弾力材から成る擦り片２６と、パックフィルター本体２０の吸引口２１を左右から囲むようにパックフィルター本体２０の一面に設けた上下方向の一対のガイド部２７、２７と、上記ガイド部２７、２７に保持された状態で真空掃除機１０の使用時までは開いた吸引口２１の一側に位置し、使用後に上記ガイド部２７、２７に沿って移動させて、吸引口２１を閉塞可能に設けた前記の操作部材２２と、上記操作部材２２とパックフィルター本体２０との間に一端部２４ａを固定し、中間部２４ｂで操作部材２２の移動端を回って折り返し、他端部２４ｃは操作部材２２の外面に配置するとともに、上記パックフィルター本体２０の一面に接触する面に粘着材層２３を設けた封止片２４とを備えている。
上記封止装置２５は、さらに、操作部材２２の外面に配置された封止片２４にて取り付けられ、その部分の粘着材層２３を覆った剥離紙２８と、操作部材２２の移動端に封止片２４の曲げ半径を大きくして抵抗を減らすために設けた滑り部２９とを備えている（図４参照）。図示の剥離紙２８は封止片２４とほぼ同大に設けられ、従って、粘着材層２３のほぼ全面を覆うとともに、操作部材２２の下端の位置で外側に折り返され、かつその一端部２８ａにて操作部材２２の上端部に取り付けられている。このため、封止片２４は図４Ａに示すように、ほぼＪ字型の形態となっている。上記滑り部２９は摩擦の小さい樹脂片類から成り、操作部材２２の下端の湾曲した形状を有する移動端を囲むように接着して設けられている。
上記封止装置２５は、より具体的には図３ないし図５に示すような構造によって形成することができる。即ち、装置基板３０は吸引パイプ１４を差し込める直径の開口３０ａを有するものとし、その正面に重ねるように正面形状をほぼＵ字型に形成した枠板３１を取り付け、装置基板３０と枠板３１との間に、操作部材２２の挿入が可能な隙間を設けてガイド部２７、２７を形成する。そのガイド部２７、２７の下部にはストッパー２７ａを設け、ガイド部２７、２７及びストッパー２７ａで囲まれる部分にその部分に適切に収まる大きさ及び形状の操作部材２２が挿入されている構造とする。上記装置基板３０は、例えば、図３に破線で示したガイド部２７、２７の部分でパックフィルター本体２０に接着され、ガイド部２７、２７の部分よりも外方の外側辺部２７ｂ、２７ｂは非接着部分とする。なお、吸引口２１は擦り片２６で覆われているが、封止片２４の接着までは未だ閉じられていない状態である。
上記擦り片２６は、図２等に示した例では、開口３０ａの中心から放射状に設けた切り込み２６ａによって形成されており、この切り込み２６ａの長さ（直径）は差し込まれる吸引パイプ１４の直径（外径）よりも小さ目に設定されている。擦り片２６は吸引パイプ１４の外周に接触して付着した微細塵埃を擦り落とすとともに、気密性を保持する機能を有するもので、切り込み２６ａの他に、吸引パイプ１４の直径（外形）よりも小さ目の直径を有する開口２６ｂも有効である（図６参照）。このような擦り片２６は、ゴム又は合成樹脂より成る弾力材によって、装置基板３０の開口３０ａの直径よりも大径に形成し、パックフィルター本体２０と装置基板３０との間に配置する。
本発明の封止装置２５を、真空掃除機１０に装着するために、タンク１２の内部に取り付け機構が装備されている。上記タンク１２には、前記のとおりパックフィルター本体２０の吸引口２１を配置するための接続口部１３が設けられているが、上記接続口部１３の内面に装置取り付け部３２を設け、パックフィルター本体２０の一面の左右一対のガイド部２７、２７を、左右の外側辺部２７ｂ、２７ｂにて上記取り付け部３２に着脱可能に係合させるようにした構造を有している（図３、図５、図８、図９参照）。
図示の装置取り付け部３２は、タンク１２の内面形状にほぼ沿う形状に形成された取り付け基板から成り、基板のほぼ中央に吸引パイプ１４の差し込み口３４を開口し、左右一対のガイド部２７、２７とスライドにより係合可能な、係合溝部３５、３５を基板の左右両側に形成し、かつまた、封止装置２５の下端を受け止める受け止め部３６、３６を下部に設けている。装置取り付け部３２は、差し込み口上下に開けたボルト孔３２ａ、３２ａにボルト３７を用いて装着されている。
このように構成されている本発明に係る真空掃除機に用いるパックフィルターの封止装置２５を有するパックフィルター本体２０は、使用する前の状態において、図２に実線で示したようにコンパクトに畳まれており、使用時には仮想線で示したように広げて真空掃除機１０に装着する。パックフィルター本体２０の装着には、装置取り付け部３２の係合溝部３５、３５に、ガイド部２７、２７の部分よりも外方の非接着部分の外側辺部２７ｂ、２７ｂを上から差し込んで、受け止め部３６、３６に当接させることで、開口３０ａの位置を正確に差し込み口３４に一致させることができる。接続口部１３に吸引パイプ１４を差し込むと、その先端部分にて擦り片２６の切り込み２６ａ又は小さめの開口２６ｂを押し開いた状態となって接続される（図７）。
その後、真空掃除機１０を始動させると、パックフィルター本体２０はその内部に表面積を大、中、小と異にする少なくとも３個の袋状のフィルター要素を備えており、上記フィルター要素を重ねて少なくとも３段階のフィルターを構成するとともに、表面積の最も大きいフィルター要素と中間のフィルター要素及び表面積の最も小さいフィルター要素の袋口を合わせて吸引口とし、上記パックフィルターを重ねた、少なくとも、表面積の最も小さいフィルター要素と中間のフィルター要素との間には内側空間、中間のフィルター要素と表面積の最も大きいフィルター要素との間には外側空間を形成した構成によって、微細塵埃をＨＥＰＡフィルターと同程度の性能で捕集することができる。
微細塵埃を捕集した後、ハンドル１９を操作し掃除機本体１１を持ち上げてタンク内部を露出させ、パックフィルター本体２０を掃除機本体１１から取り外すが、本発明では、その前に封止装置２５を用いてパックフィルターの吸引口を閉じる封止作業を行う。その際、吸引パイプ１４を吸引口２１から引き抜くときに、擦り片２６が、吸引パイプ１４の外周面に付着している微細塵埃などの汚れを擦り取り、掻き落とすように作用し、また、掻き落とされた汚れはパックフィルター本体２０の内部に留められる。封止作業を行うときまで、吸引口２１は図３及び図４Ａに示すように開いており、封止作業では吸引口２１の一側（上方）から他側（下方）へ操作部材２２を移動させる。図示の場合において、この作業は操作部材２２をガイド部２７、２７に沿って押し下げることによって行われ、その間パックフィルター本体２０に触れる必要は全くなく、操作部材２２の移動に伴い上記封止片２４はパックフィルター本体２０の一面に対して速度差なしで接着され、簡単に封止作業が完了する。操作部材２２の押し下げる際に、外力が本発明の封止装置２５に加わるが、その外力（操作力）は封止装置２５を取り付けている装置取り付け部３２に受け止められ、パックフィルター本体２０が加圧されることはない。従って、捕集した微細塵埃を逃さずにパックフィルター内部に封止するので、封止後にパックフィルター本体２０を掴んだとしても、塵埃が漏れ出す恐れは皆無である。
【図１】
2012157127.tif 000003
【図２】
2012157127.tif 000004
【図３】
2012157127.tif 000005
【図４】
2012157127.tif 000006
【図５】
2012157127.tif 000007
【図６】
2012157127.tif 000008
【図７】
2012157127.tif 000009
【図８】
2012157127.tif 000010
【図９】
2012157127.tif 000011
【手続補正書】
【提出日】平成24年10月17日(2012.10.17)
【手続補正１】
【補正対象書類名】特許請求の範囲
【補正対象項目名】全文
【補正方法】変更
【補正の内容】
【特許請求の範囲】
【請求項１】
真空掃除機に用いるパックフィルターの吸引口を閉じる封止装置であって、
吸引パイプを差し込むためにパックフィルター本体の一面に開けた吸引口と、真空掃除機の使用時までは開いた吸引口の一側に配置し、使用後に吸引口の一側から他側へ移動可能に設けた操作部材と、上記操作部材とパックフィルター本体との間に配置され、かつ、パックフィルター本体に接触する面に粘着材層を設けた封止片とを備えており、操作部材の移動に伴い、上記封止片がパックフィルター本体の一面に対して速度差なしで接着されるように構成された真空掃除機に用いるパックフィルターの封止装置。
【請求項２】
パックフィルター本体の一面に開けた吸引口を覆って取り付けられ、吸引口に差し込んだ吸引パイプの外周に接触する弾力材から成る擦り片と、パックフィルター本体の吸引口を囲むようにパックフィルター本体の一面に設けたガイド部と、上記ガイド部に保持された状態で真空掃除機の使用時までは開いた吸引口の一側に位置し、使用後に上記ガイド部に沿って移動して、吸引口を閉塞可能に設けた操作部材と、上記操作部材とパックフィルター本体との間に一端部を固定し、中間部で操作部材の移動端を回って折り返し、他端部は操作部材の外面に配置するとともに、上記一面に接触する面に粘着材層を設けた封止片とを備えて構成された請求項１記載の真空掃除機に用いるパックフィルターの封止装置。
【請求項３】
少なくとも操作部材の外面に配置された封止片に取り付け、その部分の粘着材層を覆った剥離紙と、操作部材の移動端に封止片の曲げ半径を大きくし抵抗を減らすために設けた滑り部とを備えている請求項２記載の真空掃除機に用いるパックフィルターの封止装置。
【請求項４】
真空掃除機はパックフィルター本体を配置するタンクを有し、上記タンクはパックフィルター本体の吸引口を配置するための接続口部を有し、上記接続口部の内面には装置取り付け部を設け、パックフィルター本体の一面のガイド部がその外側辺部にて上記取り付け部に着脱可能に係合するように設けられている
請求項２記載の真空掃除機に用いるパックフィルターの封止装置。
【国際調査報告】
2012157127.tif 000012
2012157127.tif 000013
2012157127.tif 000014
2012157127.tif 000015